(57)【要約】  本開示の一実施形態に係る表示装置は、映像を表示する薄板状の表示セルと、表示セルの裏面に配置され、表示セルを振動させる複数の加振器とを備えている。複数の加振器は、当該複数の加振器により表示セルに振動を発生させたときに当該複数の加振器が１つの加振器とみなされるように構成されている。
2018123292.tif 000002
【特許請求の範囲】
【請求項１】
映像を表示する薄板状の表示セルと、
前記表示セルの裏面側に配置され、前記表示セルを振動させる複数の加振器と
を備え、
前記複数の加振器は、当該複数の加振器により前記表示セルに振動を発生させたときに当該複数の加振器が１つの加振器とみなされるように構成されている
表示装置。
【請求項２】
前記表示セルがガラス基板を含んで構成され、
前記複数の加振器は、互いに独立して前記表示セルを振動させることが可能になっており、最大幅が２０ｋＨｚの半波長以下の領域内に配置されている
請求項１に記載の表示装置。
【請求項３】
各前記加振器は、ダイキャストで作られた筐体を有している
請求項２に記載の表示装置。
【請求項４】
前記表示セルと所定の間隙を介して対向配置された対向プレートを更に備え、
各前記加振器において、前記筐体は前記対向プレートに固定されている
請求項３に記載の表示装置。
【請求項５】
各前記加振器において、前記筐体は前記表示セルの裏面に対して、当該加振器と対向する位置とは異なる位置に固定されている
請求項３に記載の表示装置。
【請求項６】
各前記加振器は、
前記表示セルの裏面に固定された平面コイルと、
所定の間隙を介して複数の前記平面コイルと対向して配置された永久磁石と
を有する
請求項１に記載の表示装置。
【請求項７】
各前記加振器は、前記平面コイルに固定されるとともに前記表示セルの裏面に固定されたプリント基板を有し、
各前記加振器において、前記平面コイルは、前記プリント基板のうち前記表示セルとは反対側の面に形成されている
請求項６に記載の表示装置。
【請求項８】
前記表示セルと各前記加振器との間に１または複数の放熱シートを更に備えた
請求項１に記載の表示装置。
【請求項９】
前記１または複数の放熱シートは、アルミニウム合金で構成されている
請求項８に記載の表示装置。
【発明の詳細な説明】
【技術分野】
【０００１】
本開示は、表示装置に関する。
【背景技術】
【０００２】
ディスプレイの薄型軽量化が急激な伸長を遂げている。それに伴い、スピーカについても薄型軽量化が進み、コーン型スピーカに代わって、フラットパネルスピーカ（ＦＰＳ）を用いることが提案されている。さらに、フラットパネルスピーカにおける振動板として、ディスプレイパネルを用いることも提案されている。フラットパネルスピーカについては、例えば、特許文献１〜３参照に開示されている。
【先行技術文献】
【特許文献】
【０００３】
【特許文献１】特開２００７−１４３０１０号公報
【特許文献２】特開２００９−１５９１０４号公報
【特許文献３】特表２００２−５１０１８２号公報
【発明の概要】
【０００４】
しかし、従来では、フラットパネルスピーカにおける振動板として、ディスプレイパネルを用いた場合に、表示映像に色ムラが生じる場合があった。従って、表示映像の色ムラを抑えることの可能な表示装置を提供することが望ましい。
【０００５】
本開示の一実施形態に係る表示装置は、映像を表示する薄板状の表示セルと、表示セルの裏面側に配置され、表示セルを振動させる複数の加振器とを備えている。複数の加振器は、当該複数の加振器により表示セルに振動を発生させたときに当該複数の加振器が１つの加振器とみなされるように構成されている。
【０００６】
本開示の一実施形態に係る表示装置では、表示セルの裏面側に配置された複数の加振器が、当該複数の加振器により表示セルに振動を発生させたときに当該複数の加振器が１つの加振器とみなされるように構成されている。これにより、音質への影響を抑えつつ、各加振器で発生した熱が一か所に集中せず、ある程度分散する。
【発明の効果】
【０００７】
本開示の一実施形態に係る表示装置によれば、音質への影響を抑えつつ、各加振器で発生した熱が一か所に集中せず、ある程度分散するようにしたので、熱の局所的な分布に起因する表示映像の色ムラを抑えることができる。なお、本技術の効果は、ここに記載された効果に必ずしも限定されず、本明細書中に記載されたいずれの効果であってもよい。
【図面の簡単な説明】
【０００８】
【図１】本開示の第１の実施の形態に係る表示装置の側面構成例を表す図である。
【図２】図１の表示装置の背面構成例を表す図である。
【図３】図２のバックシャーシを取り外したときの、表示装置の背面の構成例を表す図である。
【図４】図３のＡ−Ａ線での断面構成例を表す図である。
【図５】図３のＢ−Ｂ線での断面構成例を表す図である。
【図６】（Ａ）図５のプリント基板コイルの平面構成例を表す図である。（Ｂ）図５の平型マグネットの平面構成例を表す図である。
【図７】（Ａ）図５のプリント基板コイルの平面構成例を表す図である。（Ｂ）図５の平型マグネットの平面構成例を表す図である。
【図８】図５のプリント基板コイル、振動伝達部材および放熱シートの配置例を表す図である。
【図９】図１の表示装置の側面構成の一変形例を表す図である。
【図１０】図９の表示装置の背面構成例を表す図である。
【図１１】本開示の第２の実施の形態に係る表示装置の側面構成例を表す図である。
【図１２】図１１の表示装置の背面構成例を表す図である。
【図１３】図１２のバックシャーシを取り外したときの、表示装置の背面の構成例を表す図である。
【図１４】図１３のＡ−Ａ線での断面構成例を表す図である。
【図１５】図１３のＢ−Ｂ線での断面構成例を表す図である。
【図１６】図１３のＢ−Ｂ線での断面構成の一変形例を表す図である。
【図１７】図１１の表示装置の背面構成の一変形例を表す図である。
【図１８】図１１の表示装置の背面構成の一変形例を表す図である。
【図１９】図１７、図１８の表示装置の断面構成例を表す図である。
【図２０】図１７、図１８の表示装置の断面構成例を表す図である。
【図２１】本開示の第３の実施の形態に係る表示装置の側面構成例を表す図である。
【図２２】図２１の表示装置の背面構成例を表す図である。
【図２３】図２２のバックシャーシを取り外したときの、表示装置の背面の構成例を表す図である。
【図２４】図２３のＡ−Ａ線での断面構成例を表す図である。
【図２５】図２４のＡ−Ａ線での断面構成の一変形例を表す図である。
【図２６】図２１の表示装置の背面構成の一変形例を表す図である。
【図２７】図２１の表示装置の背面構成の一変形例を表す図である。
【図２８】図２６、図２７の表示装置の断面構成例を表す図である。
【図２９】図２６、図２７の表示装置の断面構成例を表す図である。
【図３０】図１３の背面構成の一変形例を表す図である。
【図３１】図１３の背面構成の一変形例を表す図である。
【図３２】図２３の背面構成の一変形例を表す図である。
【図３３】図３０の背面構成の一変形例を表す図である。
【図３４】図３１の背面構成の一変形例を表す図である。
【図３５】図３２の背面構成の一変形例を表す図である。
【図３６】図３１の背面構成の一変形例を表す図である。
【図３７】図３２の背面構成の一変形例を表す図である。
【図３８】図３４の背面構成の一変形例を表す図である。
【図３９】図３５の背面構成の一変形例を表す図である。
【発明を実施するための形態】
【０００９】
以下、本開示を実施するための形態について、図面を参照して詳細に説明する。以下の説明は本開示の一具体例であって、本開示は以下の態様に限定されるものではない。
【００１０】
＜１．第１の実施の形態＞
[構成]
本開示の第１の実施の形態に係る表示装置１について説明する。図１は、本実施の形態に係る表示装置１の側面構成例を表したものである。図２は、図１の表示装置１の背面構成例を表したものである。表示装置１は、映像表示面１０Ａに映像を表示するとともに、映像表示面１０Ａから音声を出力する。言い換えると、表示装置１は、フラットパネルスピーカを映像表示面１０Ａに内蔵しているとも言える。
【００１１】
表示装置１は、例えば、映像を表示するとともに振動板としても機能するパネル部１０と、パネル部１０の裏面に配置され、パネル部１０を振動させる加振部２０とを備えている。表示装置１は、さらに、例えば、加振部２０を制御する信号処理部３０と、パネル部１０を、回動部５０を介して支持する支持部４０とを備えている。回動部５０は、支持部４０によってパネル部１０の裏面を支持するときのパネル部１０の傾斜角を調整するためのものであり、例えば、パネル部１０および支持部４０を回動可能に支持するヒンジによって構成されている。
【００１２】
加振部２０および信号処理部３０は、パネル部１０の裏面に配置されている。パネル部１０は、パネル部１０の裏面側に、パネル部１０、加振部２０および信号処理部３０を保護するバックシャーシ１９を有している。バックシャーシ１９は、例えば、板状の金属板もしくは樹脂板によって構成されている。バックシャーシ１９が、回動部５０に連結されている。
【００１３】
図３は、バックシャーシ１９を取り外したときの、表示装置１の背面の構成例を表したものである。図４は、図３のＡ−Ａ線での断面構成例を表したものである。図５は、図３のＢ−Ｂ線での断面構成例を表したものである。なお、図５には、後述の加振器２１（アクチュエータ）付近の断面構成が例示されているが、この断面構成は、他の加振器（例えば加振器２２（アクチュエータ））付近の断面構成と同様の断面構成となっているものとする。
【００１４】
パネル部１０は、例えば、映像を表示する薄板状の表示セル１１と、空隙１５を介して表示セル１１と対向配置されたインナープレート１２（対向プレート）とを有している。表示セル１１の表面（加振部２０とは反対側の表面）が映像表示面１０Ａとなっている。表示セル１１は、例えば、マトリクス状に配置された複数の表示画素を有している。複数の表示画素は、例えば、表示セル１１に設けられたガラス基板によって支持されている。つまり、表示セル１１は、例えば、ガラス基板を含んで構成されている。パネル部１０は、さらに、例えば、インナープレート１２の裏面に接して配置されたガラス基板１３と、表示セル１１とインナープレート１２との間に配置された固定部材１４とを有している。
【００１５】
固定部材１４は、表示セル１１とインナープレート１２とを互いに固定する機能と、空隙１５を維持するスペーサとしての機能とを有している。固定部材１４は、例えば、表示セル１１の外縁に沿って配置されている。固定部材１４は、例えば、表示セル１１が振動している時に表示セル１１の端縁が自由端として振る舞える程度の柔軟性を有していてもよい。固定部材１４は、例えば、両面に接着層を有するスポンジによって構成されている。
【００１６】
インナープレート１２は、後述の加振器２１，２２を支持する基板である。インナープレート１２は、例えば、加振器２１，２２を設置する箇所に開口を有している。ガラス基板１３は、インナープレート１２よりも高い剛性を有しており、インナープレート１２の撓みもしくは振動を抑える役割を有している。ガラス基板１３は、インナープレート１２の開口と対向する位置に開口を有している。ガラス基板１３に設けられた開口は、加振器２１もしくは加振器２２を挿通することが可能な大きさとなっている。ガラス基板１３の代わりに、ガラス基板１３と同等の剛性を有する樹脂基板が設けられていてもよい。
【００１７】
加振部２０は、例えば、２つの加振器（加振器２１，２２）を有している。加振器２１および加振器２２は、互いに共通の構成となっている。加振器２１，２２は、加振器２１，２２により表示セル１１に振動を発生させたときに音声周波数（例えば２０Ｈｚ〜２０ｋＨｚ）全体において最も振動し易い箇所を避けて配置されている。加振器２１，２２は、さらに、加振器２１，２２により表示セル１１に振動を発生させたときに音声周波数全体において最も振動し難い箇所を避けて配置されている。表示セル１１の振動は、例えば、レーザドップラー振動計を用いて、表示セル１１の面全体の振動を音声周波数全体において計測することにより得られる。加振器２１，２２は、例えば、表示セル１１の左右方向および上下方向において、割り切れない比率の箇所に配置されている。「割り切れない比率」の例としては、３：４、５：７、３：７、２：５、７：１１などが挙げられる。
【００１８】
図６（Ａ），図６（Ｂ）は、加振器２１の一構成例を展開して表したものである。図７（Ａ），図７（Ｂ）は、加振器２１の他の構成例を展開して表したものである。図６（Ａ），図６（Ｂ）には、加振器２１が、後述の平面コイル２１ａ２および後述の永久磁石２１ｂ２を含む微小な加振器によって構成されている場合が例示されている。図７（Ａ），図７（Ｂ）には、加振器２１が、平面コイル２１ａ２および永久磁石２１ｂ２を含む２つの微小な加振器によって構成されている場合が例示されている。加振器２１は、図６（Ａ）、図６（Ｂ）、図７（Ａ）、図７（Ｂ）の記載に限定されるものではなく、例えば、平面コイル２１ａ２および永久磁石２１ｂ２を含む複数の微小な加振器によって構成されていてもよい。
【００１９】
加振器２１は、表示セル１１を裏面から見たときに、左寄りに配置されている。加振器２２は、表示セル１１を裏面から見たときに、右寄りに配置されている。加振器２１，２２は、それぞれ、所定の間隙を介して互いに対向配置されたプリント基板コイル２１Ａおよび平型マグネット２１Ｂを有し、振動源となるスピーカ用アクチュエータである。
【００２０】
プリント基板コイル２１Ａは、例えば、図６（Ａ）に示したように、１つの平面コイル２１ａ２（ボイスコイル）が実装されたプリント基板２１ａ１を有している。プリント基板２１ａ１は、平面コイル２１ａ２に接続された配線を有している。平面コイル２１ａ２は、後述の振動伝達部材２３および後述の放熱シート２４を介して表示セル１１の裏面に固定されている。加振器２１および加振器２２において、平面コイル２１ａ２は、例えば、プリント基板２１ａ１のうち表示セル１１とは反対側の面に形成されている。平型マグネット２１Ｂは、例えば、図６（Ｂ）に示したように、所定の間隙を介して平面コイル２１ａ２と対向して配置された永久磁石２１ｂ２と、永久磁石２１ｂ２を支持する支持基板２１ｂ１とを有する磁気回路である
【００２１】
プリント基板コイル２１Ａは、例えば、図７（Ａ）に示したように、複数の平面コイル２１ａ２（ボイスコイル）が実装されたプリント基板２１ａ１を有していてもよい。プリント基板２１ａ１は、複数の平面コイル２１ａ２を互いに直列に接続する配線を有している。複数の平面コイル２１ａ２は、後述の振動伝達部材２３および後述の放熱シート２４を介して表示セル１１の裏面に固定されている。加振器２１および加振器２２において、複数の平面コイル２１ａ２は、例えば、プリント基板２１ａ１のうち表示セル１１とは反対側の面に形成されている。平型マグネット２１Ｂは、例えば、図７（Ｂ）に示したように、所定の間隙を介して複数の平面コイル２１ａ２と対向して配置された複数の永久磁石２１ｂ２と、複数の永久磁石２１ｂ２を支持する支持基板２１ｂ１とを有する磁気回路であってもよい。支持基板２１ｂ１上の複数の永久磁石２１ｂ２において、互いに隣接する２つの永久磁石２１ｂ２のＳ極とＮ極の向きは、互いに反対向きとなっている。
【００２２】
加振器２１，２２は、それぞれ、各平面コイル２１ａ２に電気信号の音声電流が流れると、電磁作用の原理に従って各平面コイル２１ａ２に駆動力を発生させる。この駆動力が後述の振動伝達部材２３を介して表示セル１１に伝達され、表示セル１１に音声電流の変化に応じた振動を発生させ、空気が振動して音圧が変化する。
【００２３】
加振部２０は、さらに、例えば、加振器（加振器２１，２２）ごとに、振動伝達部材２３および放熱シート２４を有している。
【００２４】
放熱シート２４は、表示セル１１と各加振器（加振器２１および加振器２２）との間に設けられている。放熱シート２４は、表示セル１１の裏面に貼り合わされている。放熱シート２４は、加振器２１もしくは加振器２２から発生した熱を放散させる機能（高熱伝導性）を有しており、かつ、音の振動を表示セル１１に効率良く伝えることのできる素材によって構成されていることが好ましい。放熱シート２４は、例えば、金属製（例えばアルミニウム）の薄膜によって構成されている。放熱シート２４は、例えば、アルミニウム合金の薄膜によって構成されている。
【００２５】
振動伝達部材２３は、例えば、放熱シート２４と、加振器２１もしくは加振器２２のプリント基板２１ａ１とに接しており、放熱シート２４と、加振器２１もしくは加振器２２のプリント基板２１ａ１とに固定されている。振動伝達部材２３は、少なくとも、音波領域（２０Ｈｚ以上）では反発する特性を有する部材によって構成されている。振動伝達部材２３は、例えば、熱硬化性樹脂、両面テープ、または、低反発ウレタンなどによって構成されている。振動伝達部材２３が熱硬化性樹脂によって構成されている場合、振動伝達部材２３は、例えば、各平面コイル２１ａ２に通電することで各平面コイル２１ａ２に熱を発生させ、その熱で熱硬化性樹脂を硬化させることにより形成される。振動伝達部材２３が両面テープによって構成されている場合、振動伝達部材２３は、例えば、各平面コイル２１ａ２に一定のパルス信号を入力して、両面テープを各平面コイル２１ａ２で強く押しつけることにより、放熱シート２４と、加振器２１もしくは加振器２２のプリント基板２１ａ１とに固定される。振動伝達部材２３が低反発ウレタンによって構成されている場合、低反発ウレタンは、音波領域（２０Ｈｚ以上）では反発する特性を有するとともに、周波数の低い領域（２０Ｈｚ未満）には追随する特性を有していることが好ましい。これにより、低反発ウレタンは、音の振動を減衰させることなく、外部からの衝撃による表示セル１１の変位に追随することができる。
【００２６】
[効果]
次に、本実施の形態に係る表示装置１の効果について説明する。
【００２７】
ディスプレイの薄型軽量化が急激な伸長を遂げている。それに伴い、スピーカについても薄型軽量化が進み、コーン型スピーカに代わって、フラットパネルスピーカ（ＦＰＳ）を用いることが提案されている。さらに、フラットパネルスピーカにおける振動板として、ディスプレイパネルを用いることも提案されている。
【００２８】
しかし、従来では、フラットパネルスピーカにおける振動板として、ディスプレイパネルを用いた場合に、表示映像に色ムラが生じる場合があった。
【００２９】
一方、本実施の形態に係る表示装置１では、表示セル１１の裏面側に配置された複数の加振器（加振器２１もしくは加振器２２内の複数の微小な加振器）が、当該複数の加振器（加振器２１もしくは加振器２２内の複数の微小な加振器）により表示セル１１に振動を発生させたときに当該複数の加振器（加振器２１もしくは加振器２２内の複数の微小な加振器）が１つの加振器とみなされるように構成されている。具体的には、複数の平面コイル２１ａ２が共通のプリント基板２１ａ１に固定されており、そのプリント基板２１ａ１が表示セル１１の裏面に固定されている。これにより、音質への影響を抑えつつ、各加振器で発生した熱が一か所に集中せず、ある程度分散する。その結果、熱の局所的な分布に起因する表示映像の色ムラを抑えることができる。
【００３０】
また、本実施の形態に係る表示装置１では、表示セル１１と各加振器（加振器２１および加振器２２）との間に複数の放熱シート２４が設けられており、さらに、各加振器（加振器２１および加振器２２）において、放熱シート２４を介して表示セル１１の裏面に複数の平面コイル２１ａ２が設けられている。これにより、各平面コイル２１ａ２で発生した熱が放熱シート２４を介して外部に放散される。さらに、複数の平面コイル２１ａ２が表示セル１１の裏面と平行な面内に配置されるので、各平面コイル２１ａ２で発生した熱が一か所に集中せず、ある程度分散する。その結果、熱の局所的な分布に起因する表示映像の色ムラを抑えることができる。
【００３１】
また、本実施の形態に係る表示装置１では、各加振器（加振器２１および加振器２２）において、複数の平面コイル２１ａ２は、プリント基板２１ａ１のうち表示セル１１とは反対側の面に形成されている。これにより、放熱シート２４と、各平面コイル２１ａ２との間には、プリント基板２１ａ１によって間隙が形成されるので、各平面コイル２１ａ２に電流が流れたときに形成される磁界の通り道がプリント基板２１ａ１によって確保される。その結果、音声出力に支障を及ぼすことなく、熱の局所的な分布に起因する表示映像の色ムラを抑えることができる。
【００３２】
＜２．第１の実施の形態の変形例＞
上記実施の形態において、例えば、図９、図１０に示したように、支持部４０および回転部５０が省略されていてもよい。ただし、この場合には、表示装置１を、壁などに設けられたフックに掛けるための凹部３２がバックシャーシ１９に設けられていることが好ましい。
【００３３】
＜３．第２の実施の形態＞
[構成]
次に、本開示の第２の実施の形態に係る表示装置２について説明する。図１１は、本実施の形態に係る表示装置２の側面構成例を表したものである。図１２は、図１１の表示装置２の背面構成例を表したものである。表示装置２は、映像表示面６０Ａに映像を表示するとともに、映像表示面６０Ａから音声を出力する。言い換えると、表示装置２は、フラットパネルスピーカを映像表示面６０Ａに内蔵しているとも言える。
【００３４】
表示装置２は、例えば、映像を表示するとともに振動板としても機能するパネル部６０と、パネル部６０の裏面に配置され、パネル部６０を振動させる加振部７０とを備えている。表示装置２は、さらに、例えば、加振部６０を制御する信号処理部８０と、パネル部６０を、回動部１００を介して支持する支持部９０とを備えている。回動部１００は、支持部９０によってパネル部６０の裏面を支持するときのパネル部６０の傾斜角を調整するためのものであり、例えば、パネル部６０および支持部９０を回動可能に支持するヒンジによって構成されている。
【００３５】
加振部７０および信号処理部８０は、パネル部６０の裏面に配置されている。パネル部６０は、パネル部６０の裏面側に、パネル部６０、加振部７０および信号処理部８０を保護するバックシャーシ６９を有している。バックシャーシ６９は、例えば、板状の金属板もしくは樹脂板によって構成されている。バックシャーシ６９が、回動部１００に連結されている。
【００３６】
図１３は、バックシャーシ６９を取り外したときの、表示装置２の背面の構成例を表したものである。図１４は、図１３のＡ−Ａ線での断面構成例を表したものである。図１５は、図１３のＢ−Ｂ線での断面構成例を表したものである。なお、図１５には、後述の加振器７１（アクチュエータ）付近の断面構成が例示されているが、この断面構成は、他の加振器（例えば加振器７２（アクチュエータ））付近の断面構成と同様の断面構成となっているものとする。
【００３７】
パネル部６０は、例えば、映像を表示する薄板状の表示セル６１と、空隙６５を介して表示セル６１と対向配置されたインナープレート６２（対向プレート）とを有している。表示セル６１の表面（加振部７０とは反対側の表面）が映像表示面６０Ａとなっている。表示セル６１は、例えば、マトリクス状に配置された複数の表示画素を有している。複数の表示画素は、例えば、表示セル６１に設けられたガラス基板によって支持されている。つまり、表示セル６１は、例えば、ガラス基板を含んで構成されている。パネル部６０は、さらに、例えば、インナープレート６２の裏面に接して配置されたガラス基板６３と、表示セル６１とインナープレート６２との間に配置された固定部材６４とを有している。
【００３８】
固定部材６４は、表示セル６１とインナープレート６２とを互いに固定する機能と、空隙６５を維持するスペーサとしての機能とを有している。固定部材６４は、例えば、表示セル６１の外縁に沿って配置されている。固定部材６４は、例えば、表示セル６１が振動している時に表示セル６１の端縁が自由端として振る舞える程度の柔軟性を有していてもよい。固定部材６４は、例えば、両面に接着層を有するスポンジなどの緩衝層によって構成されている。
【００３９】
インナープレート６２は、後述の加振器７１，７２（具体的には後述の筐体７１Ａ）を支持する基板である。インナープレート６２は、例えば、加振器７１，７２を設置する箇所に開口を有しており、その開口の周囲に、加振器７１，７２を支持するための凸部６２Ａを有している。凸部６２Ａは、表示セル６１とは反対側に突出している。ガラス基板６３は、インナープレート６２よりも高い剛性を有しており、インナープレート６２の撓みもしくは振動を抑える役割を有している。ガラス基板６３は、凸部６２Ａと対向する位置に開口を有している。ガラス基板６３に設けられた開口は、凸部６２Ａおよび加振器２１もしくは加振器２２を挿通することが可能な大きさとなっている。ガラス基板６３の代わりに、ガラス基板６３と同等の剛性を有する樹脂基板が設けられていてもよい。
【００４０】
加振部７０は、例えば、２つの加振器（加振器７１および加振器７２）を有している。加振器７１および加振器７２は、互いに共通の構成となっている。加振器７１，７２は、加振器７１，７２により表示セル６１に振動を発生させたときに音声周波数（例えば２０Ｈｚ〜２０ｋＨｚ）全体において最も振動し易い箇所を避けて配置されている。加振器７１，７２は、さらに、加振器７１，７２により表示セル６１に振動を発生させたときに音声周波数全体において最も振動し難い箇所を避けて配置されている。表示セル６１の振動は、例えば、レーザドップラー振動計を用いて、表示セル６１の面全体の振動を音声周波数全体において計測することにより得られる。加振器７１，７２は、例えば、表示セル６１の左右方向および上下方向において、割り切れない比率の箇所に配置されている。「割り切れない比率」の例としては、３：４、５：７、３：７、２：５、７：１１などが挙げられる。
【００４１】
加振器７１は、表示セル６１を裏面から見たときに、左寄りに配置されている。加振器７２は、表示セル６１を裏面から見たときに、右寄りに配置されている。加振器７１，７２は、それぞれ、例えば、ボイスコイルと、ボイスコイルを巻き付けるボビンと、磁気回路とを有し、振動源となるスピーカ用アクチュエータである。加振器７１，７２は、それぞれ、さらに、ボイスコイルおよびボビンを振動可能に保持するとともに、磁気回路を収容する筐体７１Ａを有している。筐体７１Ａは、ダイキャスト（例えばアルミダイキャスト）で作られており、放熱性に優れている。筐体７１Ａは、例えば、筐体７１Ａを凸部６２Ａに固定する際に使用するネジを挿通させるための複数のネジ穴７３ａを有している。各加振器（加振器７１および加振器７２）において、筐体７１Ａはインナープレート６２に固定されている。
【００４２】
加振器７１，７２は、それぞれ、ボイスコイルに電気信号の音声電流が流れると、電磁作用の原理に従ってボイスコイルに駆動力を発生させる。この駆動力が後述の振動伝達部材７３を介して表示セル６１に伝達され、表示セル６１に音声電流の変化に応じた振動を発生させ、空気が振動して音圧が変化する。
【００４３】
加振部７０は、さらに、例えば、加振器（加振器７１，７２）ごとに、振動伝達部材７３を有している。
【００４４】
振動伝達部材２３は、例えば、表示セル６１の裏面と、加振器７１もしくは加振器７２のボビンとに接しており、表示セル６１の裏面と、加振器７１もしくは加振器７２のボビンとに固定されている。振動伝達部材７３は、少なくとも、音波領域（２０Ｈｚ以上）では反発する特性を有する部材によって構成されている。振動伝達部材７３は、例えば、熱硬化性樹脂、両面テープ、または、低反発ウレタンなどによって構成されている。振動伝達部材７３が熱硬化性樹脂によって構成されている場合、振動伝達部材７３は、例えば、ボイスコイルに通電することでボイスコイルに熱を発生させ、その熱で熱硬化性樹脂を硬化させることにより形成される。振動伝達部材７３が両面テープによって構成されている場合、振動伝達部材７３は、例えば、ボイスコイルに一定のパルス信号を入力して、両面テープをボイスコイルで強く押しつけることにより、表示セル６１の裏面と、加振器７１もしくは加振器７２のボビンとに固定される。振動伝達部材７３が低反発ウレタンによって構成されている場合、低反発ウレタンは、音波領域（２０Ｈｚ以上）では反発する特性を有するとともに、周波数の低い領域（２０Ｈｚ未満）には追随する特性を有していることが好ましい。これにより、低反発ウレタンは、音の振動を減衰させることなく、外部からの衝撃による表示セル６１の変位に追随することができる。
【００４５】
[効果]
本実施の形態に係る表示装置２では、各加振器（加振器７１，７２）の筐体７１Ａが、ダイキャストで作られている。これにより、各加振器（加振器７１，７２）で発生した熱が筐体７１Ａから素早く外部に放散される。その結果、熱の局所的な分布に起因する表示映像の色ムラを抑えることができる。
【００４６】
また、本実施の形態では、各加振器（加振器７１，７２）が、表示セル６１と所定の間隙６５を介して対向配置されたインナープレート６２に固定されている。これにより、各加振器（加振器７１，７２）の振動を効率よく表示セル６１に伝達することができる。
【００４７】
＜４．第２の実施の形態の変形例＞
[変形例Ａ]
第２の実施の形態において、例えば、図１６に示したように、表示セル６１と各加振器（加振器７１，７２）との間に放熱シート７４が設けられていてもよい。
【００４８】
放熱シート７４は、表示セル６１の裏面に貼り合わされている。放熱シート７４は、加振器７１もしくは加振器７２から発生した熱を放散させる機能（高熱伝導性）を有しており、かつ、音の振動を表示セル６１に効率良く伝えることのできる素材によって構成されていることが好ましい。放熱シート７４は、例えば、金属製（例えばアルミニウム）の薄膜によって構成されている。放熱シート７４は、例えば、アルミニウム合金の薄膜によって構成されている。振動伝達部材７３は、例えば、放熱シート７４と、加振器７１もしくは加振器７２のボビンとに接しており、放熱シート７４と、加振器７１もしくは加振器７２のボビンとに固定されている。
【００４９】
本変形例では、表示セル６１と各加振器（加振器７１，７２）との間に複数の放熱シート７４が設けられている。これにより、各加振器（加振器７１，７２）で発生した熱が放熱シート７４を介して外部に放散される。これにより、各加振器（加振器７１，７２）で発生した熱が一か所に集中せず、ある程度分散する。その結果、熱の局所的な分布に起因する表示映像の色ムラを抑えることができる。
【００５０】
[変形例Ｂ]
第２の実施の形態およびその変形例において、加振部７０が、例えば、図１７、図１８、図１９、図２０に示したように、複数の加振器７１と、複数の加振器７２とを有していてもよい。なお、図１７には、２つの加振器７１と、２つの加振器７２とが設けられている場合が例示されている。また、図１８には、３つの加振器７１と、３つの加振器７２とが設けられている場合が例示されている。また、図１９には、加振器７１，７２が振動伝達部材７３を介して表示セル６１に固定されている場合が例示されている。また、図２０には、加振器７１，７２が振動伝達部材７３および放熱シート７４を介して表示セル６１に固定されている場合が例示されている。図１９、図２０は、図１７、図１８に記載のパネル部６０の断面構成の一例を表したものである。
【００５１】
複数の加振器７１は、表示セル６１を振動させるためのものであり、表示セル６１の裏面に配置されている。複数の加振器７１は、表示セル６１を裏面から見たときに、左寄りに配置されている。複数の加振器７２は、表示セル６１を振動させるためのものであり、表示セル６１の裏面に配置されている。複数の加振器７２は、表示セル６１を裏面から見たときに、右寄りに配置されている。
【００５２】
本変形例では、表示セル６１の裏面側に配置された複数の加振器７１が、当該複数の加振器７１により表示セル６１に振動を発生させたときに当該複数の加振器７１が１つの加振器とみなされるように構成されている。具体的には、複数の加振器７１は、互いに独立して表示セル６１を振動させることが可能になっており、最大幅が２０ｋＨｚの半波長以下の領域内に配置されている。例えば、表示セル６１に含まれるガラス基板内の音速は４０００ｍ〜５０００ｍ／秒程度であり、音声帯域の最大値（例えば２０ｋＨｚ）での１波長の長さが２０〜２５ｃｍなので、複数の加振器７１、または複数の加振器７２が、最大値が２０ｋＨｚの半波長以下の領域（図１９、図２０の領域７１ｄ）内に配置されている場合には、表示セル６１に含まれるガラス基板においては、複数の加振器７１、または複数の加振器７２を１つの音源としてみなすことができる。これにより、各加振器７１，７２で発生した熱をある程度分散させつつ、音質を向上させることができる。
【００５３】
＜５．第３の実施の形態＞
[構成]
次に、本開示の第４の実施の形態に係る表示装置３について説明する。図２１は、本実施の形態に係る表示装置３の側面構成例を表したものである。図２２は、図２１の表示装置３の背面構成例を表したものである。表示装置３は、映像表示面１１０Ａに映像を表示するとともに、映像表示面１１０Ａから音声を出力する。言い換えると、表示装置３は、フラットパネルスピーカを映像表示面１１０Ａに内蔵しているとも言える。
【００５４】
表示装置３は、例えば、映像を表示するとともに振動板としても機能するパネル部１１０と、パネル部１１０の裏面に配置され、パネル部１１０を振動させる加振部１２０とを備えている。表示装置３は、さらに、例えば、加振部１２０を制御する信号処理回路１３１が内蔵された支持部１３０を備えている。支持部１３０は、回動部１４０を介してバックシャーシ１１９に固定されている。回動部１４０は、支持部１３０によってパネル部１１０の裏面を支持するときのパネル部１１０の傾斜角を調整するためのものであり、例えば、パネル部１１０および支持部１３０を回動可能に支持するヒンジによって構成されている。
【００５５】
図２３は、バックシャーシ１１９を取り外したときの、表示装置３の背面の構成例を表したものである。図２４は、図２３のＡ−Ａ線での断面構成例を表したものである。パネル部１１０は、例えば、映像を表示する薄板状の表示セル１１１を有している。表示セル１１１の表面（加振部１２０とは反対側の表面）が映像表示面１１０Ａとなっている。表示セル１１１は、例えば、マトリクス状に配置された複数の表示画素を有している。複数の表示画素は、例えば、表示セル１１１に設けられたガラス基板によって支持されている。つまり、表示セル１１１は、例えば、ガラス基板を含んで構成されている。
【００５６】
加振部１２０は、例えば、２つの加振器（加振器１２１（アクチュエータ）および加振器１２２（アクチュエータ））を有している。加振器１２１および加振器１２２は、互いに共通の構成となっている。加振器１２１，１２２は、加振器１２１，１２２により表示セル１１１に振動を発生させたときに音声周波数（例えば２０Ｈｚ〜２０ｋＨｚ）全体において最も振動し易い箇所を避けて配置されている。加振器１２１，１２２は、さらに、加振器１２１，１２２により表示セル１１１に振動を発生させたときに音声周波数全体に
おいて最も振動し難い箇所を避けて配置されている。表示セル１１１の振動は、例えば、レーザドップラー振動計を用いて、表示セル１１１の面全体の振動を音声周波数全体において計測することにより得られる。加振器１２１，１２２は、例えば、表示セル１１１の左右方向および上下方向において、割り切れない比率の箇所に配置されている。「割り切れない比率」の例としては、３：４、５：７、３：７、２：５、７：１１などが挙げられる。
【００５７】
加振器１２１は、表示セル１１１を裏面から見たときに、左寄りに配置されている。加振器１２２は、表示セル１１１を裏面から見たときに、右寄りに配置されている。加振部１２０は、さらに、２つの加振器（加振器１２１，１２２）と、信号処理回路１３１とを電気的に接続する配線基板１２３を有している。配線基板１２３には、例えば、フレキシブル配線基板が接続されており、このフレキシブル配線基板を介して、２つの加振器（加振器１２１，１２２）と、信号処理回路１３１とが電気的に接続されている。
【００５８】
加振器１２１，１２２は、それぞれ、例えば、ボイスコイルと、ボイスコイルを巻き付けるボビンと、磁気回路とを有し、振動源となるスピーカ用アクチュエータである。加振器１２１，１２２は、それぞれ、さらに、ボイスコイルおよびボビンを振動可能に保持するとともに、磁気回路を収容する筐体１２１Ａを有している。筐体１２１Ａは、ダイキャスト（例えばアルミダイキャスト）で作られており、放熱性に優れている。
【００５９】
加振器１２１，１２２は、それぞれ、ボイスコイルに電気信号の音声電流が流れると、電磁作用の原理に従ってボイスコイルに駆動力を発生させる。この駆動力が後述の振動伝達部材１２５を介して表示セル１１１に伝達され、表示セル１１１に音声電流の変化に応じた振動を発生させ、空気が振動して音圧が変化する。
【００６０】
加振部１２０は、さらに、例えば、加振器（加振器１２１，１２２）ごとに、固定部材１２４および振動伝達部材１２５を有している。各加振器（加振器１２１，１２２）は、例えば、固定部材１２４を介して、表示セル１１１の裏面に固定されている。各加振器（加振器１２１，１２２）は、固定部材１２４によって、表示セル１１１の裏面に対して、当該加振器（加振器１２１，１２２）と対向する位置とは異なる位置に固定されている。固定部材１２４は、表示セル１１１と筐体１２１Ａとを互いに固定する機能を有している。固定部材１２４は、例えば、表示セル１１１が振動している時に表示セル１１１の振動を減衰させない程度の柔軟性を有していてもよい。固定部材１２４は、例えば、両面に接着層を有するスポンジによって構成されている。
【００６１】
振動伝達部材１２５は、例えば、表示セル１１の裏面と、加振器１２１もしくは加振器１２２のボビンとに接しており、表示セル１１１の裏面と、加振器１２１もしくは加振器１２２のボビンとに固定されている。振動伝達部材１２５は、少なくとも、音波領域（２０Ｈｚ以上）では反発する特性を有する部材によって構成されている。振動伝達部材１２５は、例えば、熱硬化性樹脂、両面テープ、または、低反発ウレタンなどによって構成されている。振動伝達部材１２５が熱硬化性樹脂によって構成されている場合、振動伝達部材１２５は、例えば、ボイスコイルに通電することでボイスコイルに熱を発生させ、その熱で熱硬化性樹脂を硬化させることにより形成される。振動伝達部材１２５が両面テープによって構成されている場合、振動伝達部材１２５は、例えば、ボイスコイルに一定のパルス信号を入力して、両面テープをボイスコイルで強く押しつけることにより、表示セル１１１の裏面と、加振器１２１もしくは加振器１２２のボビンとに固定される。振動伝達部材１２５が低反発ウレタンによって構成されている場合、低反発ウレタンは、音波領域（２０Ｈｚ以上）では反発する特性を有するとともに、周波数の低い領域（２０Ｈｚ未満）には追随する特性を有していることが好ましい。これにより、低反発ウレタンは、音の振動を減衰させることなく、外部からの衝撃による表示セル１１１の変位に追随することができる。
【００６２】
[効果]
本実施の形態に係る表示装置３では、各加振器（加振器１２１，１２２）の筐体１２１Ａが、ダイキャストで作られている。これにより、各加振器（加振器１２１，１２２）で発生した熱が筐体１２１Ａから素早く外部に放散される。その結果、熱の局所的な分布に起因する表示映像の色ムラを抑えることができる。
【００６３】
また、本実施の形態では、各加振器（加振器１２１，１２２）において、筐体１２１Ａは、表示セル１１１の裏面に対して、当該加振器（加振器１２１，１２２）と対向する位置とは異なる位置に固定されている。これにより、各加振器（加振器１２１，１２２）が表示セル１１１とともに振動するので、共振による振幅が大きくなり、低周波領域での出力を大きくすることができる。
【００６４】
＜６．第３の実施の形態の変形例＞
[変形例Ｃ]
第３の実施の形態において、例えば、図２５に示したように、表示セル１１１と各加振器（加振器１２１，１２２）との間に放熱シート１２６が設けられていてもよい。
【００６５】
放熱シート１２６は、表示セル１１１の裏面に貼り合わされている。放熱シート１２６は、加振器１２１もしくは加振器１２２から発生した熱を放散させる機能（高熱伝導性）を有しており、かつ、音の振動を表示セル１１１に効率良く伝えることのできる素材によって構成されていることが好ましい。放熱シート１２６は、例えば、金属製（例えばアルミニウム）の薄膜によって構成されている。放熱シート１２６は、例えば、アルミニウム合金の薄膜によって構成されている。振動伝達部材１２５は、例えば、放熱シート１２６と、加振器１２１もしくは加振器１２２のボビンとに接しており、放熱シート１２６と、加振器１２１もしくは加振器１２２のボビンとに固定されている。
【００６６】
本変形例では、表示セル１１１と各加振器（加振器１２１，１２２）との間に複数の放熱シート１２６が設けられている。これにより、各加振器（加振器１２１，１２２）で発生した熱が放熱シート１２６を介して外部に放散される。これにより、各加振器（加振器１２１，１２２）で発生した熱が一か所に集中せず、ある程度分散する。その結果、熱の局所的な分布に起因する表示映像の色ムラを抑えることができる。
【００６７】
[変形例Ｄ]
第３の実施の形態およびその変形例において、加振部１２０が、例えば、図２６、図２７、図２８、図２９に示したように、複数の加振器１２１と、複数の加振器１２２とを有していてもよい。なお、図２６には、２つの加振器１２１と、２つの加振器１２２とが設けられている場合が例示されている。また、図２７には、３つの加振器１２１と、３つの加振器１２２とが設けられている場合が例示されている。また、図２８には、加振器１２１，１２２が振動伝達部材１２５を介して表示セル１１１に固定されている場合が例示されている。また、図２９には、加振器１２１，１２２が振動伝達部材１２５および放熱シート１２６を介して表示セル１１１に固定されている場合が例示されている。図２８、図２９は、図２６、図２７に記載のパネル部１１０の断面構成の一例を表したものである。
【００６８】
複数の加振器１２１は、表示セル１１１を振動させるためのものであり、表示セル１１１の裏面に配置されている。複数の加振器１２１は、表示セル１１１を裏面から見たときに、左寄りに配置されている。複数の加振器１２２は、表示セル１１１を振動させるためのものであり、表示セル１１１の裏面に配置されている。複数の加振器１２２は、表示セル１１１を裏面から見たときに、右寄りに配置されている。
【００６９】
本変形例では、表示セル１１１の裏面側に配置された複数の加振器１２１が、当該複数の加振器１２１により表示セル１１１に振動を発生させたときに当該複数の加振器１２１が１つの加振器とみなされるように構成されている。具体的には、複数の加振器１２１は、互いに独立して表示セル１１１を振動させることが可能になっており、最大幅が２０ｋＨｚの半波長以下の領域内に配置されている。例えば、表示セル１１１に含まれるガラス基板内の音速は４０００ｍ〜５０００ｍ／秒程度であり、音声帯域の最大値（例えば２０ｋＨｚ）での１波長の長さが２０〜２５ｃｍなので、複数の加振器１２１、または複数の加振器１２２が、最大値が２０ｋＨｚの半波長以下の領域（図２８、図２９の領域１２１ｄ）内に配置されている場合には、表示セル１１１に含まれるガラス基板においては、複数の加振器１２１、または複数の加振器１２２を１つの音源としてみなすことができる。これにより、各加振器１２１，１２２で発生した熱をある程度分散させつつ、音質を向上させることができる。
【００７０】
＜７．各実施の形態に共通の変形例＞
[変形例Ｅ]
上記各実施の形態およびそれらの変形例において、加振器の数は、３つ以上であってもよい。例えば、上記第１の実施の形態およびその変形例において、加振器２０が、例えば、図３０に示したように、３つの加振器（加振器２１，２２，２５）を有していてもよい。この場合、３番目の加振器（加振器２５（アクチュエータ））は、加振器２１と加振器２２との間に位置している。加振器２５は、加振器２１と同様の構成を有している。また、例えば、上記第２実施の形態およびその変形例において、加振器７０が、例えば、図３１に示したように、３つの加振器（加振器７１，７２，７６）を有していてもよい。この場合、３番目の加振器（加振器７６（アクチュエータ））は、加振器７１と加振器７２との間に位置している。加振器７６は、加振器７１と同様の構成を有している。また、例えば、上記第３実施の形態およびその変形例において、加振器１２０が、例えば、図３２に示したように、３つの加振器（加振器１２１，１２２，１２８）を有していてもよい。この場合、３番目の加振器（加振器１２８（アクチュエータ））は、加振器１２１と加振器１２２との間に位置している。加振器１２８は、加振器１２１と同様の構成を有している。本変形例においても、上記各実施の形態およびそれらの変形例における効果と同様の効果を得ることができる。
【００７１】
[変形例Ｆ]
上記各実施の形態およびそれらの変形例において、加振器の数は、１つであってもよい。例えば、加振器２０が、例えば、図３３に示したように、１つの加振器（加振器２５）を有していてもよい。また、例えば、加振器７０が、例えば、図３４に示したように、１つの加振器（加振器７６）を有していてもよい。また、例えば、加振器１２０が、例えば、図３５に示したように、１つの加振器（加振器１２８）を有していてもよい。本変形例においても、上記各実施の形態およびそれらの変形例における効果と同様の効果を得ることができる。
【００７２】
[変形例Ｇ]
上記変形例Ｅにおいて、加振器７０が、例えば、図３６に示したように、複数の加振器７１、複数の加振器７２、および複数の加振器７６を有していてもよい。このとき、複数の加振器７１が、当該複数の加振器７１により表示セル６１に振動を発生させたときに当該複数の加振器７１が１つの加振器とみなされるように構成されている。また、複数の加振器７２が、当該複数の加振器７２により表示セル６１に振動を発生させたときに当該複数の加振器７２が１つの加振器とみなされるように構成されている。また、複数の加振器７６が、当該複数の加振器７６により表示セル６１に振動を発生させたときに当該複数の加振器７６が１つの加振器とみなされるように構成されている。
【００７３】
[変形例Ｈ]
上記変形例Ｅにおいて、加振器１２０が、例えば、図３７に示したように、複数の加振器１２１、複数の加振器１２２、および複数の加振器１２８を有していてもよい。このとき、複数の加振器１２１が、当該複数の加振器１２１により表示セル１１１に振動を発生させたときに当該複数の加振器１２１が１つの加振器とみなされるように構成されている。また、複数の加振器１２２が、当該複数の加振器１２２により表示セル１１１に振動を発生させたときに当該複数の加振器１２２が１つの加振器とみなされるように構成されている。また、複数の加振器１２８が、当該複数の加振器１２８により表示セル１１１に振動を発生させたときに当該複数の加振器１２８が１つの加振器とみなされるように構成されている。
【００７４】
[変形例Ｉ]
上記変形例Ｆにおいて、加振器７０が、例えば、図３８示したように、複数の加振器７６を有していてもよい。このとき、複数の加振器７６が、当該複数の加振器７６により表示セル６１に振動を発生させたときに当該複数の加振器７６が１つの加振器とみなされるように構成されている。
【００７５】
[変形例Ｊ]
上記変形例Ｆにおいて、加振器１２０が、例えば、図３９示したように、複数の加振器１２８を有していてもよい。このとき、複数の加振器１２８が、当該複数の加振器１２８により表示セル１１１に振動を発生させたときに当該複数の加振器１２８が１つの加振器とみなされるように構成されている。
【００７６】
以上、実施の形態およびその変形例を挙げて本開示を説明したが、本開示は上記実施の形態等に限定されるものではなく、種々変形が可能である。なお、本明細書中に記載された効果は、あくまで例示である。本開示の効果は、本明細書中に記載された効果に限定されるものではない。本開示が、本明細書中に記載された効果以外の効果を持っていてもよい。
【００７７】
例えば、上記実施の形態等において、加振器７１，７２，７６のダイキャスト製の筐体７１Ａ内に、熱伝導性に優れた磁性流体が充填されていてもよい。また、例えば、上記実施の形態等において、加振器１２１，１２２，１２８のダイキャスト製の筐体１２１Ａ内に、熱伝導性に優れた磁性流体が充填されていてもよい。これらのようにした場合には、磁性流体によってボイスコイルが冷却されるので、熱の局所的な分布に起因する表示映像の色ムラを抑えることができる。
【００７８】
また、例えば、上記実施の形態等において、信号処理部３０，８０および信号処理回路１３１は、表示セル１１，６１，１１１で消費される電力の積算電力を監視してもよい。このようにした場合、信号処理部３０，８０および信号処理回路１３１は、瞬間の電力値が所定の閾値ｔｈを超える場合であっても、表示セル１１，６１，１１１に流す電流に対して制限を行わず、積算電力値が所定の閾値ｔｈを超えた場合に、表示セル１１，６１，１１１に流す電流に対して制限を行うことができる。その結果、過度な電流制限がなされなくなるので、表示品位を損なうことなく、発熱を効果的に抑えることができる。
【００７９】
また、例えば、本開示は以下のような構成を取ることができる。
（１）
映像を表示する薄板状の表示セルと、
前記表示セルの裏面側に配置され、前記表示セルを振動させる複数の加振器と
を備え、
前記複数の加振器は、当該複数の加振器により前記表示セルに振動を発生させたときに当該複数の加振器が１つの加振器とみなされるように構成されている
表示装置。
（２）
前記表示セルがガラス基板を含んで構成され、
前記複数の加振器は、互いに独立して前記表示セルを振動させることが可能になっており、最大幅が２０ｋＨｚの半波長以下の領域内に配置されている
（１）に記載の表示装置。
（３）
各前記加振器は、ダイキャストで作られた筐体を有している
（２）に記載の表示装置。
（４）
前記表示セルと所定の間隙を介して対向配置された対向プレートを更に備え、
各前記加振器において、前記筐体は前記対向プレートに固定されている
（３）に記載の表示装置。
（５）
各前記加振器において、前記筐体は前記表示セルの裏面に対して、当該加振器と対向する位置とは異なる位置に固定されている
（３）に記載の表示装置。
（６）
各前記加振器は、
前記表示セルの裏面に固定された平面コイルと、
所定の間隙を介して複数の前記平面コイルと対向して配置された永久磁石と
を有する
（１）に記載の表示装置。
（７）
各前記加振器は、前記平面コイルに固定されるとともに前記表示セルの裏面に固定されたプリント基板を有し、
各前記加振器において、前記平面コイルは、前記プリント基板のうち前記表示セルとは反対側の面に形成されている
（６）に記載の表示装置。
（８）
前記表示セルと各前記加振器との間に１または複数の放熱シートを更に備えた
（１）ないし（７）のいずれか１つに記載の表示装置。
（９）
前記１または複数の放熱シートは、アルミニウム合金で構成されている
（８）に記載の表示装置。
【００８０】
本出願は、日本国特許庁において２０１６年１２月２７日に出願された日本特許出願番号第２０１６−２５３６６４号と、２０１７年５月１９日に出願された日本特許出願番号第２０１７−０９９６２９号とを基礎として優先権を主張するものであり、この出願のすべての内容を参照によって本出願に援用する。
【００８１】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2018123292.tif 000003
【図２】
2018123292.tif 000004
【図３】
2018123292.tif 000005
【図４】
2018123292.tif 000006
【図５】
2018123292.tif 000007
【図６】
2018123292.tif 000008
【図７】
2018123292.tif 000009
【図８】
2018123292.tif 000010
【図９】
2018123292.tif 000011
【図１０】
2018123292.tif 000012
【図１１】
2018123292.tif 000013
【図１２】
2018123292.tif 000014
【図１３】
2018123292.tif 000015
【図１４】
2018123292.tif 000016
【図１５】
2018123292.tif 000017
【図１６】
2018123292.tif 000018
【図１７】
2018123292.tif 000019
【図１８】
2018123292.tif 000020
【図１９】
2018123292.tif 000021
【図２０】
2018123292.tif 000022
【図２１】
2018123292.tif 000023
【図２２】
2018123292.tif 000024
【図２３】
2018123292.tif 000025
【図２４】
2018123292.tif 000026
【図２５】
2018123292.tif 000027
【図２６】
2018123292.tif 000028
【図２７】
2018123292.tif 000029
【図２８】
2018123292.tif 000030
【図２９】
2018123292.tif 000031
【図３０】
2018123292.tif 000032
【図３１】
2018123292.tif 000033
【図３２】
2018123292.tif 000034
【図３３】
2018123292.tif 000035
【図３４】
2018123292.tif 000036
【図３５】
2018123292.tif 000037
【図３６】
2018123292.tif 000038
【図３７】
2018123292.tif 000039
【図３８】
2018123292.tif 000040
【図３９】
2018123292.tif 000041
【国際調査報告】
2018123292.tif 000042
2018123292.tif 000043
2018123292.tif 000044